(57)【要約】  基地局が、プリセット条件に従って、アクセスクラス規制制御をトリガするかどうかを判別するステップであって、前記アクセスクラス規制制御は、ＳＳＡＣ又はＣＳＦＢのアクセスクラス規制制御であり、前記プリセット条件は、前記基地局がアラートメッセージを受信すること、及び／又は前記基地局が輻輳状態にあること、を含むステップと、判別結果がyesであるならば、前記ＵＥが前記基地局へのアクセスを前記制御パラメータに従って制御するように、ブロードキャストモードにおいて、前記基地局が、前記アクセスクラス規制の制御パラメータをＵＥへ送信するステップを含む。本発明の実施形態によれば、前記基地局は、ＳＳＡＣの前記ＡＣ規制制御及び／又はＣＳＦＢの前記ＡＣ規制制御を、前記基地局の輻輳状態又はアラートメッセージに従って、リアルタイムで自動的にトリガ可能であり、これにより、前記ＡＣ規制制御のトリガの適時性や柔軟性を改善する。
2016502825.tif 000002
【特許請求の範囲】
【請求項１】
アクセス制御方法であって、
基地局により、プリセット条件に従って、アクセスクラス規制制御をトリガするかどうかを判別するステップであって、前記アクセスクラス規制は、ＳＳＡＣ（service specific access control）又は回線交換フォールバック（ＣＳＦＢ）のアクセスクラス規制制御であり、前記プリセット条件は、前記基地局が、アラートメッセージを受信すること、及び／又は前記基地局が、輻輳状態であること、を具備する、ステップと、
判別結果がyesであるならば、前記ＵＥが前記基地局へのアクセスを前記制御パラメータに従って制御するように、基地局により、ブロードキャストモードにおいて、前記アクセスクラス規制制御の制御パラメータをユーザ装置（ＵＥ）に送信するステップと、
を具備することを特徴とするアクセス制御方法。
【請求項２】
前記プリセット条件が、前記基地局が、アラートメッセージを受信すること、であり、
前記基地局により、プリセット条件に従って、アクセスクラス規制制御をトリガするかどうかを判別するステップは、
前記基地局により、前記アラートメッセージの正当性を検証するステップと、
前記アラートメッセージが正当であれば、前記基地局により、前記アクセスクラス規制制御をトリガするステップと、
を具備することを特徴とする請求項１に記載のアクセス制御方法。
【請求項３】
前記プリセット条件が、前記基地局が、アラートメッセージを受信するとともに、前記基地局が前記輻輳状態であること、であり、
前記基地局により、プリセット条件に従って、アクセスクラス規制制御をトリガするかどうかを判別するステップは、
前記基地局により、前記アラートメッセージの正当性を検証するステップと、
前記アラートメッセージが正当であり、前記基地局が前記輻輳状態であるならば、前記基地局により、前記アクセスクラス規制制御をトリガするステップと、
を具備することを特徴とする請求項１に記載のアクセス制御方法。
【請求項４】
前記基地局により、前記アラートメッセージの正当性を検証するステップは、
前記基地局により、前記アラートメッセージは、地震津波警報システム（ＥＴＷＳ）又は商用移動警報システム（ＣＭＡＳ）により送信されたアラートメッセージであるかどうかを判別するステップを具備することを特徴とする請求項２又は３に記載のアクセス制御方法。
【請求項５】
前記プリセット条件が、前記基地局が前記輻輳状態であること、であるか、又は、前記プリセット条件が、前記基地局が、アラートメッセージを受信するとともに、前記基地局が前記輻輳状態であること、であり、
前記基地局が前記アクセスクラス規制制御の前記制御パラメータをブロードキャストメッセージへ追加するとともに前記アクセスクラス規制制御の前記制御パラメータを前記ユーザ装置（ＵＥ）へ送信した後、前記方法は、
前記基地局により、前記輻輳状態が取り除かれたかどうかを周期的に判別するステップと、
前記輻輳状態が取り除かれたならば、前記基地局により、前記アクセスクラス規制制御の終了を示す指示情報を前記ＵＥへ送信するステップと、
をさらに具備することを特徴とする請求項１に記載のアクセス制御方法。
【請求項６】
前記輻輳状態が取り除かれていないならば、前記基地局により、前記制御パラメータを調整するステップと、
前記基地局により、前記調整された制御パラメータを前記システムメッセージに追加するとともに、前記パラメータを前記ＵＥへ送信するステップと、
をさらに具備することを特徴とする請求項５に記載のアクセス制御方法。
【請求項７】
前記基地局が前記アクセスクラス規制制御の前記制御パラメータをブロードキャストメッセージへ追加するとともに、前記アクセスクラス規制制御の前記制御パラメータを前記ユーザ装置（ＵＥ）へ送信した後、前記方法は、
前記基地局により、前記制御の継続時間を記録するステップと、
前記継続時間がプリセットされた時間閾値を超過した後、前記基地局により、ブロードキャストモードにおいて、前記制御の終了を示す指示情報を前記ＵＥへ送信するステップと、
をさらに具備することを特徴とする請求項１又は２に記載のアクセス制御方法。
【請求項８】
基地局であって、
プリセット条件に従って、アクセスクラス規制制御をトリガするかどうかを判別するように構成された第１判別モジュールであって、前記アクセスクラス規制制御は、ＳＳＡＣ（service specific access control）又は回線交換フォールバック（ＣＳＦＢ）のアクセスクラス規制制御であり、前記プリセット条件は、前記基地局が、アラートメッセージを受信すること、及び／又は前記基地局は、輻輳状態にあること、を具備する、第１判別モジュールと、
判別結果がyesであるならば、前記ＵＥが前記基地局へのアクセスを前記制御パラメータに従って制御するように、ブロードキャストモードにおいて、前記アクセスクラス規制制御の制御パラメータをユーザ装置（ＵＥ）に送信するように構成されている送信モジュールと、
を具備することを特徴とする基地局。
【請求項９】
前記プリセット条件が、前記基地局が、アラートメッセージを受信することであり、
前記第１判別モジュールは、前記アラートメッセージの正当性を検証し、前記アラートメッセージが正当であれば、前記アクセスクラス規制制御をトリガするように特に構成されていることを特徴とする請求項８に記載の基地局。
【請求項１０】
前記プリセット条件が、前記基地局が、アラートメッセージを受信するとともに、前記基地局が前記輻輳状態であること、であり、
前記第１判別モジュールは、前記アラートメッセージの正当性を検証し、前記アラートメッセージが正当であるとともに、前記基地局が前記輻輳状態であれば、前記アクセスクラス規制制御をトリガするように特に構成されていることを特徴とする請求項８に記載の基地局。
【請求項１１】
前記第１判別モジュールは、前記アラートメッセージが地震津波警報システム（ＥＴＷＳ）又は商用移動警報システム（ＣＭＡＳ）により送信されたアラートメッセージであるかどうかを判別するように特に構成されていることを特徴とする請求項９又は１０に記載の基地局。
【請求項１２】
前記プリセット条件が、前記基地局が前記輻輳状態にあるか、又は、前記プリセット条件が、前記基地局が、アラートメッセージを受信するとともに、前記基地局が前記輻輳状態にあること、であり、
前記基地局は、第２判別モジュールをさらに具備し、
前記第２判別モジュールは、前記送信モジュールが、ブロードキャストモードにおいて、前記制御パラメータを前記ＵＥへ送信した後、前記輻輳状態が取り除かれたかどうかを周期的に判別するように構成され、
前記送信モジュールは、前記第２判別モジュールが前記輻輳状態が取り除かれたと判別した場合、ブロードキャストモードにおいて、前記ＵＥへ前記アクセスクラス規制制御の終了を示す指示情報を送信するようにさらに構成されていることを特徴とする請求項８に記載の基地局。
【請求項１３】
前記第２判別モジュールが前記輻輳状態は取り除かれていないと判別した場合、前記制御パラメータを調整するように構成された調整モジュールを更に具備し、
前記送信モジュールは、ブロードキャストモードにおいて、前記調整された制御パラメータを前記ＵＥに送信するようにさらに構成されていることを特徴とする請求項１２に記載の基地局。
【請求項１４】
前記アクセスクラス規制制御の継続時間を記録するように構成されているタイミングモジュールをさらに具備し、
前記送信モジュールは、前記継続時間がプリセットされた時間閾値を超過した後、ブロードキャストモードにおいて前記ＵＥへ前記アクセスクラス規制制御の終了を示す指示情報を送信するようにさらに構成されていることを特徴とする請求項８又は９に記載の基地局。
【請求項１５】
基地局であって、
プリセット条件に従って、アクセスクラス規制制御をトリガするかどうかを判別するように構成されたプロセッサであって、前記アクセスクラス規制制御は、ＳＳＡＣ（service specific access control）又は回線交換フォールバック（ＣＳＦＢ）のアクセスクラス規制制御であり、前記プリセット条件は、前記基地局が、アラートメッセージを受信すること、及び／又は前記基地局が、輻輳状態にあること、である、プロセッサと、
判別結果がyesであるならば、前記ＵＥが前記基地局へのアクセスを前記制御パラメータに従って制御するように、前記基地局により、ブロードキャストモードにおいて、前記アクセスクラス規制制御の制御パラメータをユーザ装置（ＵＥ）に送信するように構成されている、送信器と、
を具備することを特徴とする基地局。
【請求項１６】
前記プリセット条件が、前記基地局が、アラートメッセージを受信すること、であり、
前記プロセッサは、前記アラートメッセージの正当性を検証し、前記アラートメッセージが正当であれば、前記アクセスクラス規制制御をトリガするように特に構成されていることを特徴とする請求項１５に記載の基地局。
【請求項１７】
前記プリセット条件が、前記基地局が、アラートメッセージを受信するとともに、前記基地局が前記輻輳状態であること、であり、
前記プロセッサは、前記アラートメッセージの正当性を検証し、前記アラートメッセージが正当であれば、前記基地局は、前記輻輳状態であり、前記アクセスクラス規制制御をトリガするように特に構成されていることを特徴とする請求項１５に記載の基地局。
【請求項１８】
前記プロセッサは、前記アラートメッセージが、地震津波警報システム（ＥＴＷＳ）又は商用移動警報システム（ＣＭＡＳ）により送信されたアラートメッセージであるかどうかを判別するように特に構成されていることを特徴とする請求項１６又は１７に記載の基地局。
【請求項１９】
前記プリセット条件が、前記基地局が前記輻輳状態であること、又は、前記プリセット条件が、前記基地局が、アラートメッセージを受信するとともに、前記基地局が前記輻輳状態であること、であり、
前記プロセッサは、前記送信モジュールがブロードキャストモードにおいて、前記アクセスクラス規制制御の前記制御パラメータを前記ＵＥへ送信した後、前記輻輳状態が取り除かれたかどうかを周期的に判別するようにさらに構成され、
前記送信器は、前記プロセッサが前記輻輳状態が取り除かれたと判別した場合、ブロードキャストモードにおいて、前記ＵＥへ、前記アクセスクラス規制制御の終了を示す指示情報を送信するようにさらに構成されていることを特徴とする請求項１５に記載の基地局。
【請求項２０】
前記プロセッサは、前記輻輳状態から解放されていないと判別された場合、前記制御パラメータを調整するようにさらに構成され、
前記送信モジュールは、ブロードキャストモードにおいて、前記調整された制御パラメータを前記ＵＥへ送信するようにさらに構成されていることを特徴とする請求項１９に記載の基地局。
【請求項２１】
前記プロセッサは、前記アクセスクラス規制制御の継続時間を記録するようにさらに構成され、
前記送信器は、前記継続時間がプリセットされた時間閾値を超過した後、ブロードキャストモードにおいて、前記ＵＥへ前記アクセスクラス規制制御の終了を示す指示情報を送信するようにさらに構成されていることを特徴とする請求項１５又は１６に記載の基地局。
【発明の詳細な説明】
【技術分野】
【０００１】
本発明の実施形態は、通信技術に関連し、特にアクセス制御方法及び装置に関する。
【背景技術】
【０００２】
地震、津波、又はテロ攻撃などの災害が発生した場合、災害による被害を避けるために、ユーザ装置（ＵＥ：User Equipment）は、災害情報又は災害救援情報を得るためにネットワークを通じて災害掲示板にアクセスする。災害状況(disaster scenario)においては、大量のＵＥが、マルチメディアテレフォニー−ビデオ（MMTEL_Video）サービスや、マルチメディアテレフォニー−ボイス（MMTEL_Voice）サービスを親戚や友人と通信するために使用される。結果として、非常に多くのネットワークリソースが占有され、他のＵＥが、災害掲示板上の災害情報や災害救援情報を送れずに取得することができなくなる。
【０００３】
現在のところ、ＵＥが災害状況において災害情報又は災害救援情報を即座に取得できるようにするために、オペレータがマニュアルでＳＳＡＣ（service specific access control）及び回線交換フォールバック（ＣＳＦＢ）のアクセス規制（ＡＣ規制：Access Class Barring）制御をトリガし、大量のＵＥによる災害掲示板へのアクセスをサポートするように前記ＵＥのためのさらなるネットワークリソースを確保する。しかし、前記ＡＣ規制制御のマニュアルによるトリガでは、リアルタイム性や、柔軟性が不十分である。
【発明の概要】
【発明が解決しようとする課題】
【０００４】
本発明の実施形態は、マルチメディアサービス上のリアルタイムアクセス制御の欠如という従来の問題点を解決する、アクセス制御方法及び装置を提供する。
【課題を解決するための手段】
【０００５】
本発明の実施形態の第１の特徴は、
基地局により、プリセット条件に従って、アクセスクラス規制制御をトリガするかどうかを判別するステップであって、前記アクセスクラス規制は、ＳＳＡＣ（service specific access control）又は、回線交換フォールバック（ＣＳＦＢ）のアクセスクラス規制制御であり、前記プリセット条件は、前記基地局が、アラートメッセージを受信すること、及び／又は前記基地局は、輻輳状態にあること、を具備するステップと、
判別結果がyesであるならば、前記ＵＥが前記基地局へのアクセスを前記制御パラメータに従って制御するように、基地局により、ブロードキャストモードにおいて、前記アクセスクラス規制制御の制御パラメータをユーザ装置（ＵＥ）に送信するステップと、
を含む、アクセス制御方法を提供する。
【０００６】
本発明の実施形態の第２の特徴は、
プリセット条件に従って、アクセスクラス規制制御をトリガするかどうかを判別するように構成された第１判別モジュールであって、前記アクセスクラス規制制御は、ＳＳＡＣ（service specific access control）又は回線交換フォールバック（ＣＳＦＢ）のアクセスクラス規制制御であり、前記プリセット条件は、前記基地局が、アラートメッセージを受信すること、及び／又は前記基地局は、輻輳状態にあること、を具備する、第１判別モジュールと、
判別結果がyesであるならば、前記ＵＥが前記基地局へのアクセスを前記制御パラメータに従って制御するように、ブロードキャストモードにおいて、前記アクセスクラス規制制御の制御パラメータをユーザ装置（ＵＥ）に送信するように構成されている送信モジュールと、
を具備する基地局を提供する。
【０００７】
本発明の実施形態の第３の特徴は、
プリセット条件に従って、アクセスクラス規制制御をトリガするかどうかを判別するように構成されたプロセッサであって、前記アクセスクラス規制制御は、ＳＳＡＣ（service specific access control）又は回線交換フォールバック（ＣＳＦＢ）のアクセスクラス規制制御であり、前記プリセット条件は、前記基地局が、アラートメッセージを受信すること、及び／又は前記基地局が、輻輳状態にあること、である、プロセッサと、
判別結果がyesであるならば、前記ＵＥが前記基地局へのアクセスを前記制御パラメータに従って制御するように、前記基地局により、ブロードキャストモードにおいて、前記アクセスクラス規制制御の制御パラメータをユーザ装置（ＵＥ）に送信するように構成されている、送信器と、
を具備する基地局を提供する。
【０００８】
本発明の実施形態によれば、基地局がプリセット条件に従って、ＡＣ規制制御をトリガするかどうかを決定し、前記ＡＣ規制制御は、ＳＳＡＣ（service specific access control）及び／又は回線交換フォールバック（ＣＳＦＢ）のＡＣ規制制御であり、前記プリセット条件は、前記基地局が、アラートメッセージを受信すること、及び／又は、前記基地局が、輻輳状態にあること、を含み、判別結果がyesであるならば、前記ＵＥが前記基地局へのアクセスを前記制御パラメータに従って制御するように、前記基地局は、ブロードキャストモードにおいて、前記ＡＣ規制制御の制御パラメータをＵＥへ送信する。本発明の実施形態において、前記基地局は、ＳＳＡＣ及び／又はＣＳＦＢの前記ＡＣ規制制御を前記基地局の輻輳状態やアラートメッセージに従って、リアルタイムに自動的にトリガする。これにより、従来のマニュアルによるＡＣ規制制御のトリガ方法よりも高い適時性や柔軟性を提供する。
【図面の簡単な説明】
【０００９】
【図１】図１は、本発明の実施形態によるアクセス制御方法の概略図である。
【図２】図２は、本発明の実施形態による他のアクセス制御方法の概略図である。
【図３】図３は、本発明の実施形態による他のアクセス制御方法の概略図である。
【図４】図４は、本発明の実施形態による他のアクセス制御方法の概略図である。
【図５】図５は、本発明の実施形態による基地局の概略構成図である。
【図６】図６は、本発明の実施形態による他の基地局の概略構成図である。
【図７】図７は、本発明の実施形態による他の基地局の概略構成図である。
【発明を実施するための形態】
【００１０】
以下では、添付の図面と実施形態を参照しながら本発明の技術的ソリューションを詳細に説明する。
【００１１】
以下の実施形態で提供される前記アクセス制御方法は、例えば、ＧＳＭ（登録商標）（global system for mobile communications）、ＵＭＴＳ(universal mobile telecommunications system)、ＷｉＭａｘ（worldwide interoperability for microwave access）システム、ＬＴＥ（Long Term Evolution）システム等に応用でき、また、セルを共有している複数のＲＲＵでのシナリオに応用してもよい。以下の実施形態で提供される前記アクセス制御方法は、前述の通信システムのいずれかにおける基地局により実行されてよく、前述の通信システムのいずれかにおける基地局に大量のユーザが同時にアクセスするようなシナリオにおいて応用でき、例えば、ユーザがコンサートや集会に参加している場合等である。
【００１２】
図１は、本発明の実施形態による、マルチメディアサービスのためのアクセス制御方法の概略図である。図１に示されているように、前記方法は、以下のステップを含んでいる。
【００１３】
１０１：  基地局は、プリセット条件に従って、アクセスクラス規制制御をトリガするかどうかを判別する。前記アクセスクラス規制制御は、ＳＳＡＣ（service specific access control）又は回線交換フォールバック（ＣＳＦＢ）のアクセスクラス規制制御であり、前記プリセット条件は、前記基地局が、アラートメッセージを受信すること、及び／又は、前記基地局が、輻輳状態にあること、を含む。
【００１４】
実施形態において、ＡＣ規制制御をトリガするための条件は、基地局にプリセットされている。この実施形態において、前記ＡＣ規制制御は、ＳＳＡＣやＣＳＦＢのＡＣ規制制御である。稼働中、基地局は、前記プリセット条件に従って、ＳＳＡＣの前記ＡＣ規制制御及び／又はＣＳＦＢの前記ＡＣ規制制御をトリガするかどうかを判別する。前記プリセット条件は、基地局が前記輻輳状態であること、前記基地局が、アラートメッセージを受信したこと、又は基地局が、アラートメッセージを受信するとともに前記輻輳状態であること、を含む。当業者であれば、前記プリセット条件が、それらに限定されないことは分かりうる。
【００１５】
実際のアプリケーションにおいて、大量のＵＥが、基地局へのアクセスリクエストを開始した場合、前記基地局は、前記輻輳状態に突入しがちである。前記輻輳状態においては、前記基地局は、良好なサービスをＵＥに提供することはできない。前記基地局が前記輻輳状態である継続時間を短縮するために、前記基地局は、前記基地局は、前記輻輳状態から素早く解放され、比較的良好なサービスを前記ＵＥに提供できるように、ＳＳＡＣ及び／又はＣＳＦＢの前記ＡＣ規制制御をトリガする。
【００１６】
地震、津波、又はテロ攻撃などの災害が発生する前、またはその時、サードパーティは、アラート情報をコアネットワークデバイスへ送信する。前記アラート情報は、ブロードキャストモードにおいて、地震津波警報システム（ＥＴＷＳ：Earthquake and Tsunami Warning System）又は商用移動警報システム（ＣＭＡＳ：Commercial Mobile Alert System）により、前記コアネットワークデバイスへ送信されるアラートメッセージでありうる。この実施形態おける前記アラートメッセージは、ＥＴＷＳにより送信されるアラートメッセージや、ＣＭＡＳにより送信されるアラートメッセージを含むが、それに限定するものではない。
【００１７】
前記コアネットワークデバイスは、前記受信したアラートメッセージをブロードキャストメッセージに追加するとともに、前記受信したアラートメッセージを基地局へ送信する。ＬＴＥネットワークにおいて、前記コアネットワークデバイスは、ＭＭＥ（mobile management entity）でありうる。前記アラートメッセージを受信した後、前記基地局は、災害が発生しようとしていることを知る。災害状況においてＵＥによる災害掲示板への迅速なアクセスを確保するために、大量のネットワークリソースを確保し、災害救援情報や災害情報を遅れずに取得できるように、前記基地局は、ＳＳＡＣ及び／又はＣＳＦＢの前記ＡＣ規制制御をトリガする必要がある。
【００１８】
前記プリセット条件の１つが合致した場合、前記基地局は、自動的にＳＳＡＣ及び／又はＣＳＦＢの前記ＡＣ規制制御をトリガする。この実施形態において、ＳＳＡＣの前記ＡＣ規制制御は、ＳＳＡＣ−マルチメディアテレフォニー−ボイス(SSAC_MMTEL_Voice)サービスへのアクセスを規制し、また、ＳＳＡＣ−マルチメディアテレフォニー−ビデオ(SSAC_MMTEL_Video)サービスへのアクセスを規制する。ＣＳＦＢの前記ＡＣ規制制御は、パケット交換(ＰＳ：Packet Switched)ネットワークから回線交換(ＣＳ：Circuit Switched)ネットワークへフォールバックして、ボイスサービスへのアクセスを規制し得る。
【００１９】
ＳＳＡＣの前記ＡＣ規制制御は、ＳＳＡＣ−ＭＭＴＥＬ＿ＶｉｄｅｏやＳＳＡＣ−ＭＭＴＥＬ＿Ｖｏｉｃｅへのアクセスを規制することを含むが、これに限定されるものではないことは当業者であればわかりうる。
【００２０】
１０２：  判別結果がyesであるならば、前記基地局は、前記ＵＥが前記基地局へのアクセスを前記制御パラメータに従って制御するように、ブロードキャストモードにおいて、前記アクセスクラス規制制御の制御パラメータをユーザ装置（ＵＥ）へ送信する。
【００２１】
この実施形態において、ＳＳＡＣ及び／又はＣＳＦＢの前記ＡＣ規制制御をトリガする必要があるとの判別後に、前記基地局は、前記ＡＣ規制制御の制御パラメータを設定し、ブロードキャストモードにおいて、前記ＡＣ規制制御の前記制御パラメータをＵＥへ送信する。具体的には、前記基地局は、前記ＡＣ規制制御の前記制御パラメータをブロードキャストメッセージへ追加し、前記ブロードキャストメッセージを使用することにより、前記制御パラメータを前記ＵＥへ送信してもよい。この実施形態において、前記ＡＣ規制制御の前記制御パラメータは、規制要素（barring factor）、規制時間(barring time)、ＡＣ１１−ＡＣ１５の規制モード(barring mode)、などを含むが、これに限定されるものではない。
【００２２】
前記ＡＣ規制制御の前記制御パラメータを受信した後、ＵＥは、前記制御パラメータに従って、前記基地局へのアクセスをコントロールし得る。ＵＥによる基地局へのアクセスを前記制御パラメータに従って制御する処理は、具体的には、従来技術文献の関連するコンテンツにおいて参照され得るため、ここでは詳細に説明しない。
【００２３】
この実施形態において、提供される前記アクセス制御方法は、基地局は、プリセット条件に従って、ＳＳＡＣのＡＣ規制制御及び／又はＣＳＦＢのＡＣ規制制御をトリガするかどうかを判別し、判別結果がyesであるならば、前記基地局は、前記制御パラメータに従って、前記ＵＥが前記基地局へアクセスできるように、ブロードキャストモードにおいて、前記ＡＣ規制制御の制御パラメータをＵＥへ送信する。本発明のこの実施形態において、前記基地局は、ＳＳＡＣの前記ＡＣ規制制御及び／又はＣＳＦＢの前記ＡＣ規制制御をリアルタイムで、前記基地局の輻輳状態又はアラートメッセージに従って、自動的にトリガし得る。これにより、従来技術のマニュアルでのＡＣ規制制御のトリガ方法よりも高い適時性や柔軟性を提供し得る。
【００２４】
図２は、本発明の実施形態による他のアクセス制御方法の概略図である。図２に示されているように前記方法は、以下のステップを含む。
【００２５】
２０１：  基地局がアラートメッセージを受信する。
【００２６】
地震、津波、又はテロ攻撃などの災害が発生する前又は発生した場合、ＥＴＷＳ又はＣＭＡＳは、ブロードキャストモードにおいて、アラートメッセージをコアネットワークデバイスへ送信する。前記コアネットワークデバイスは、前記受信したアラートメッセージをブロードキャストメッセージに追加するとともに、前記受信したアラートメッセージを基地局へ送信する。
【００２７】
２０２：  前記基地局は、前記アラートメッセージの正当性を検証する。
【００２８】
実際には、基地局は、誤ったアラートメッセージを受信し得る。アラートメッセージを受信した後、基地局は、前記アラートメッセージの正当性を検証し、前記アラートメッセージが本当のアラートメッセージであることを確保する。具体的には、基地局は、前記アラートメッセージが、地震津波警報システム（ＥＴＷＳ）又は商用移動警報システム（ＣＭＡＳ）により送信されたアラートメッセージであるかどうかを判別する。この実施形態において、前記基地局は、前記アラートメッセージの正当性を検証するように、フォーマット、コンテンツ、タイプ識別子、又は前記アラートメッセージなどに従って、前記アラートメッセージのソースを判別する。この実施形態において、アラートメッセージを検証することにより、前記基地局は、誤ったアラートメッセージによってサービスが受けられなくなることを避けうる。
【００２９】
２０３：  前記アラートメッセージが正当であれば、前記基地局は、ＡＣ規制制御をトリガする。
【００３０】
前記アラートメッセージが正当であると判別した後、災害状況において、ＵＥが災害掲示板に迅速にアクセスできるようにするために、前記基地局は、前記ＵＥが災害救援情報や災害情報を遅れずに取得できるように、ＳＳＡＣ及び／又はＣＳＦＢのＡＣ規制制御をトリガし、前記ＵＥのための大量のネットワークリソースを確保する。
【００３１】
２０４：  前記基地局は、前記ＵＥが前記基地局へのアクセスを前記制御パラメータに従って制御するように、ブロードキャストモードにおいて、前記ＡＣ規制制御の制御パラメータをＵＥへ送信する。
【００３２】
ＳＳＡＣ及び／又はＣＳＦＢのＡＣ規制制御をトリガした後、前記基地局は、前記ＡＣ規制制御の制御パラメータを設定し、ブロードキャストモードにおいて、前記制御パラメータをＵＥへ送信する。具体的には、前記基地局は、前記制御パラメータをブロードキャストメッセージに追加するとともに、前記制御パラメータをＵＥへ、前記ブロードキャストメッセージを使用して送信する。この実施形態において、前記ＡＣ規制制御の前記制御パラメータは、規制要素、規制時間、ＡＣ１１−ＡＣ１５の規制モードなどを含みうるが、これに限定されない。
【００３３】
２０５：  前記基地局は、前記ＡＣ規制制御の継続時間を記録する。
【００３４】
ＳＳＡＣ及び／又はＣＳＦＢの前記ＡＣ規制制御をトリガし、ブロードキャストモードにおいて、前記ＡＣ規制制御の前記制御パラメータを前記ＵＥへ送信した後、前記基地局は、前記ＡＣ規制制御の継続時間を記録してもよい。オプションとして、前記基地局は、タイマーをセットしてもよい。前記ＡＣ規制制御をトリガする場合、前記基地局は、前記ＡＣ規制制御の継続時間を記録するために測時のための前記タイマーを開始する。
【００３５】
２９６：前記継続時間がプリセットされた時間閾値を超過した後、前記基地局は、ブロードキャストモードにおいて、前記ＵＥへ、前記ＡＣ規制制御の終了を示すための指示情報を送信する。
【００３６】
この実施形態において、時間閾値は、前記基地局のためにプリセットされうる。前記ＡＣ規制制御がトリガされたままである前記継続時間が、前記時間閾値を超過した後、前記基地局は、ブロードキャストモードにおいて、前記ＵＥへ、前記ＡＣ規制制御の終了を指すための指示情報を送信しうる。具体的には、前記プリセットされた時間閾値は、基地局でセットされたタイマーの継続時間を使用してもよい。前記タイマーの継続時間が終了した後、前記基地局は、前記指示情報をブロードキャストメッセージに追加して、前記ＵＥへ、前記基地局の前記ＡＣ規制制御の終了を通知する。オプションとして、追加又は修正してもよい。前記指示情報を搬送するブロードキャストメッセージにフィールドを追加又は修正してもよい。前記指示情報を受信した後、前記ＵＥは、前記ＡＣ規制制御の前に前記ＵＥがしていたように基地局へ正常にアクセスしうる。
【００３７】
本発明のこの実施形態において提供される前記アクセス制御方法において、基地局は、アラートメッセージを受信した後、前記アラートメッセージの正当性を検証する。前記アラートメッセージが正当であると検証した後、前記基地局は、ＳＳＡＣのＡＣ規制制御及び／又はＣＳＦＢのＡＣ規制制御を自動的にトリガする。この実施形態は、従来のマニュアルによるＡＣ規制制御のトリガ方法よりも高い適時性や柔軟性を提供する。
【００３８】
さらに、前記基地局によるアラートメッセージの正当性の検証は、前記基地局の安全性を高める。前記基地局が前記ＡＣ規制制御の継続時間を記録でき、そして前記継続時間がプリセットされた時間閾値を超過した後、前記基地局が前記ＡＣ規制制御を自動的に修了できるため、前記ＡＣ規制制御の柔軟性もまた改善される。
【００３９】
この実施形態における前記アラートメッセージは、ＥＴＷＳにより送信されるアラートメッセージや、ＣＭＡＳにより送信されるアラートメッセージを含むが、これに限定されるものではない。
【００４０】
図３は、本発明の実施形態による他のアクセス制御方法の概略図である。図３に示されているように、前記方法は、以下のステップを含む。
【００４１】
３０１：  基地局が、現在輻輳状態であるかどうかを判別する。
【００４２】
前記基地局は、現在の状態を判別して、前記基地局自身が前記輻輳状態であるかどうかをチェックし、前記基地局が現在前記輻輳状態であると判別したならば、前記基地局は、ステップ３０２の実行を継続する。
【００４３】
３０２：  前記基地局は、ＡＣ規制制御をトリガする。
【００４４】
前記基地局が、現在前記輻輳状態であると判別するならば、それは良好なサービスをＵＥに提供できないことを示している。前記基地局が前記輻輳状態である継続時間を短縮するために、前記基地局は、ＳＳＡＣ及び／又はＣＳＦＢの前記ＡＣ規制制御を自動的にトリガする。そして、前記基地局は、前記輻輳状態から素早く解放され、比較的良好なサービスを前記ＵＥに提供する。
【００４５】
３０３：  前記基地局は、前記ＵＥが前記基地局へのアクセスを前記制御パラメータに従って制御できるように、ブロードキャストモードにおいて、前記ＡＣ規制制御の制御パラメータをＵＥに送信する。
【００４６】
この実施形態において、ＳＳＡＣ及び／又は前記ＣＳＦＢの前記ＡＣ規制制御をトリガすることが求められていると判別された後、前記基地局は、前記ＡＣ規制制御の制御パラメータを設定し、そして、ブロードキャストモードにおいて、前記制御パラメータをＵＥへ送信する。具体的には、前記基地局は、前記制御パラメータをブロードキャストメッセージへ追加し、前記制御パラメータをＵＥへ前記ブロードキャストメッセージを使用することにより送信してもよい。この実施形態において、前記ＡＣ規制制御の前記制御パラメータは、規制要素、規制時間、ＡＣ１１−ＡＣ１５のなどを含むが、それに限定されない。
【００４７】
前記ＡＣ規制制御の前記制御パラメータを受信した後、ＵＥは、前記ＡＣ規制制御の前記制御パラメータに従って、前記基地局にアクセスする。ＵＥによる基地局へのアクセスを前記制御パラメータに従って制御する処理は、具体的には、従来技術文献の関連するコンテンツにおいて参照され得るため、ここでは詳細に説明しない。
【００４８】
３０４：  前記基地局は、前記輻輳状態が取り除かれたかどうかを定期的に判別する。
【００４９】
前記ＡＣ規制制御の間、前記基地局は、前記基地局の前記輻輳状態が取り除かれたかどうかを定期的に判別してよい。前記輻輳状態が取り除かれていないと判別されたならば、前記基地局は、ステップ３０５の実行を継続する。前記輻輳状態が取り除かれたと判別されたならば、前記基地局は、ステップ３０７の実行を継続する。
【００５０】
３０５：  前記基地局は、前記制御パラメータを調整する。
【００５１】
前記基地局の前記輻輳状態が取り除かれていないと、ステップ３０４で判別されたならば、前記基地局は、前記制御パラメータをさらに調整してもよく、例えば、前記規制要素を増やす、前記規制時間を延長する、又は、前記規制モードを変更する。
【００５２】
３０６：  前記基地局は、ブロードキャストモードにおいて、前記調整された制御パラメータを前記ＵＥへ送信する。
【００５３】
前記基地局は、前記調整された前記ＡＣ規制制御の制御パラメータをブロードキャストメッセージに追加するとともに、前記調整された前記ＡＣ規制制御の制御パラメータを前記ＵＥへ、前記ブロードキャストメッセージを使用することにより送信する。
【００５４】
３０７：  前記基地局は、ブロードキャストモードにおいて、前記ＵＥへ、前記ＡＣ規制制御の終了を示すための指示情報を送信する。
【００５５】
具体的には、前記基地局の前記ＡＣ規制制御の終了を前記ＵＥへ通知するために、前記基地局は、前記ＡＣ規制制御の終了を示すための指示情報をブロードキャストメッセージに追加する。オプションとして、前記指示情報を搬送するために、ブロードキャストメッセージにフィールドを追加又は修正してもよい。前記指示情報を受信後、前記ＵＥは、前記ＡＣ規制制御の前に前記ＵＥがしていたように基地局へ正常にアクセスしうる。
【００５６】
この実施形態において提供される前記アクセス制御方法において、輻輳状態であると判別された後、基地局は、ＳＳＡＣのＡＣ規制制御及び／又はＣＳＦＢのＡＣ規制制御を自動的にトリガする。この実施形態は、従来のマニュアルによるＡＣ規制制御のトリガ方法よりも高い適時性や柔軟性を提供する。
【００５７】
さらに、前記基地局は、前記輻輳状態が取り除かれたかどうかをリアルタイムでさらに判別し、前記輻輳状態が継続しているならば、前記基地局は、前記輻輳状態からより素早く抜け出し、前記ＡＣ規制制御の柔軟性を強化するように、前記ＡＣ規制制御の制御パラメータを調整し、ＡＣ規制の強さ（intensity）を強める。
【００５８】
図４は、本発明の実施形態による他のアクセス制御方法の概略図である。図４に示されているように、前記方法は、以下のステップを具備する。
【００５９】
４０１：  基地局がアラートメッセージを受信する。
【００６０】
地震、津波、又はテロ攻撃などの災害が発生する前又はその時、ＥＴＷＳ又はＣＭＡＳは、ブロードキャストモードにおいて、アラートメッセージをコアネットワークデバイスへ送信する。前記コアネットワークデバイスは、前記受信されたアラートメッセージをブロードキャストメッセージへ追加し、前記追加されたアラートメッセージを基地局へ基地局送信する。 
【００６１】
４０２：  前記基地局は、前記アラートメッセージの正当性を検証し、前記基地局が輻輳状態にあるかどうかを判別する。
【００６２】
実際には、基地局は、誤ったアラートメッセージを受信しうる。アラートメッセージを受信した後、基地局は、前記アラートメッセージの正当性を検証し、前記アラートメッセージが本当のアラートメッセージであることを確保する。具体的には、基地局は、前記アラートメッセージが地震津波警報システム（ＥＴＷＳ）又は商用移動警報システム（ＣＭＡＳ）により送信されたアラートメッセージであるかどうかを判別する。この実施形態において、前記基地局は、前記アラートメッセージの正当性を検証するように、フォーマット、コンテンツ、タイプ識別子、又は前記アラートメッセージなどに従って、前記アラートメッセージのソースを判別する。この実施形態において、アラートメッセージを検証することにより、前記基地局は、誤ったアラートメッセージによってサービスが受けられなくなることを避けうる。さらに、前記基地局は、前記基地局自身が前記輻輳状態にあるかどうかをチェックするために現在の状態を判別してもよい。
【００６３】
４０３：前記アラートメッセージが正当であり、前記基地局が前記輻輳状態であると判別されたならば、前記基地局は、ＡＣ規制制御をトリガする。
【００６４】
前記アラートメッセージが正当であり、前記基地局自身が前記輻輳状態であると判別された後に、ＵＥが災害掲示板に迅速にアクセスできるようにするために、前記基地局は、前記ＵＥが災害救援情報や災害情報を遅れずに取得できるように、ＳＳＡＣ及び／又はＣＳＦＢの前記ＡＣ規制制御を自動的にトリガし、前記ＵＥのための大量のネットワークリソースを確保する。
【００６５】
４０４：  前記基地局は、前記ＵＥが前記基地局へのアクセスを前記制御パラメータに従って制御できるように、ブロードキャストモードにおいて、前記ＡＣ規制制御の制御パラメータをＵＥに送信する。
【００６６】
ＳＳＡＣ及び／又はＣＳＦＢの前記ＡＣ規制制御をトリガした後、前記基地局は、前記ＡＣ規制制御の制御パラメータを設定し、そして、ブロードキャストモードにおいて、前記制御パラメータをＵＥへ送信する。具体的には、前記基地局は、前記制御パラメータをブロードキャストメッセージに追加し、前記制御パラメータをＵＥへ、前記ブロードキャストメッセージを使用することによって送信する。この実施形態において、前記ＡＣ規制制御の前記制御パラメータは、規制要素、規制時間、ＡＣ１１−ＡＣ１５の規制モードなどを含みうるが、これに限定されない。
【００６７】
４０５：  前記基地局は、前記輻輳状態が取り除かれたかどうかを周期的に判別する。
【００６８】
前記ＡＣ規制制御の間、前記基地局は、輻輳状態が取り除かれたかどうかを周期的に判別しうる。前記輻輳状態が取り除かれていないと判別されたならば、前記基地局は、ステップ４０６の実行を継続する。前記輻輳状態が取り除かれたと判別されたならば、前記基地局は、ステップ４０８の実行を継続する。
【００６９】
４０６：  前記基地局は、前記制御パラメータを調整する。
【００７０】
ステップ４０５において、前記基地局の前記輻輳状態が取り除かれていないと判別されたならば、前記基地局は、前記ＡＣ規制制御の前記制御パラメータをさらに調整してもよく、例えば、前記規制要素を増加したり、前記規制時間を延長したり、又は、前記規制モードを変更したりしてよい。
【００７１】
４０７：  前記基地局は、ブロードキャストモードにおいて、前記調整された制御パラメータを前記ＵＥへ送信する。
【００７２】
前記基地局は、前記調整されたＡＣ規制制御の制御パラメータをブロードキャストメッセージへ追加し、前記調整されたＡＣ規制制御の制御パラメータを前記ＵＥへ、前記ブロードキャストメッセージを使用することにより送信する。
【００７３】
４０８：  前記基地局は、ブロードキャストモードにおいて、前記ＵＥへ、前記ＡＣ規制制御の終了を示すための指示情報を送信する。
【００７４】
具体的には、前記基地局は、前記基地局の前記ＡＣ規制制御の終了を前記ＵＥへ通知するために、前記ＡＣ規制制御の終了を示すための指示情報をブロードキャストメッセージに追加する。オプションとして、前記指示メッセージを搬送するために、ブロードキャストメッセージにフィールドを追加又は修正してもよい。前記指示情報を受信後、前記ＵＥは、前記ＡＣ規制制御の前に前記ＵＥがしていたように基地局へ正常にアクセスしうる。
【００７５】
この実施形態において提供される前記アクセス制御方法において、基地局がアラートメッセージを受信後、前記アラートメッセージの正当性を検証する。前記アラートメッセージが正当であり、前記基地局が、輻輳状態にある場合には、ＳＳＡＣのＡＣ規制制御及び／又はＣＳＦＢのＡＣ規制制御を自動的にトリガする。ここの実施形態は、従来のマニュアルによるＡＣ規制制御のトリガ方法よりも高い適時性や柔軟性を提供する。
【００７６】
さらに、前記基地局は、前記輻輳状態が取り除かれたかどうかをリアルタイムでさらに判別し、前記輻輳状態が継続しているならば、前記基地局は、前記輻輳状態からより素早く抜け出し、前記ＡＣ規制制御の柔軟性を強化するように、前記ＡＣ規制制御の制御パラメータを調整し、ＡＣ規制の強さ（intensity）を強める。
【００７７】
この実施形態における前記アラートメッセージは、ＥＴＷＳにより送信されるアラートメッセージや、ＣＭＡＳにより送信されるアラートメッセージを含むが、これに限定されない。
【００７８】
図５は、本発明の実施形態による基地局の概略構成図である。図５に示されているように、前記基地局は、第１判別モジュール５１と送信モジュール５２を具備する。
【００７９】
この実施形態において、ＡＣ規制制御をトリガするための条件は、前記基地局のためにプリセットされている。この実施形態において、前記ＡＣ規制制御は、ＳＳＡＣ又はＣＳＦＢのＡＣ規制制御である。前記基地局の稼働中、前記第１判別モジュール５１は、プリセット条件に従って、ＳＳＡＣの前記ＡＣ規制制御及び／又はＣＳＦＢの前記ＡＣ規制制御をトリガするかどうかを判別しうる。前記プリセット条件は、前記基地局が、輻輳状態にあること、前記基地局が、アラートメッセージを受信すること、又は前記基地局は、アラートメッセージを受信するとともに、前記基地局が、輻輳状態にあることを含みうる。当業者であれば、前記プリセット条件がそれらに限定されないことは理解しうる。
【００８０】
実際のアプリケーションにおいて、大量のＵＥが、基地局へのアクセスリクエストを開始した場合、前記基地局は、前記輻輳状態に突入しがちである。前記輻輳状態においては、前記基地局は、良好なサービスをＵＥに提供することはできない。前記基地局が前記輻輳状態である継続時間を短縮するために、前記第１判別モジュール５１は、前記基地局は、前記輻輳状態から素早く解放され、比較的良好なサービスを前記ＵＥに提供できるように、ＳＳＡＣの前記ＡＣ規制制御及び／又はＣＳＦＢの前記ＡＣ規制制御をトリガする。  
【００８１】
地震、津波、又はテロ攻撃などの災害が発生する前、又はその時、サードパーティ組織は、ブロードキャストモードにおいて、アラートメッセージをコアネットワークデバイスに送信する。前記コアネットワークデバイスは、前記受信したアラートメッセージをブロードキャストメッセージに追加し、前記受信したアラートメッセージを前記基地局へ送信する。ＬＴＥネットワークにおいて、前記コアネットワークデバイスは、ＭＭＥでありうる。この実施形態における前記アラートメッセージは、ＥＴＷＳにより送信されるアラートメッセージやＣＭＡＳにより送信されるアラートメッセージを含むが、これに限定されない。
【００８２】
前記アラートメッセージを受信した後、前記基地局は、災害が発生しようとしていることを知る。災害状況においてＵＥによる災害掲示板への迅速なアクセスを確保して、災害救援情報や災害情報を遅れずに取得できるように、前記第１判別モジュール５１は、大量のネットワークリソースを確保するために、ＳＳＡＣの前記ＡＣ規制制御及び／又はＣＳＦＢの前記ＡＣ規制制御をトリガする必要がある。
【００８３】
前記プリセット条件の１つが合致した場合、前記第１判別モジュール５１は、ＳＳＡＣの前記ＡＣ規制制御及び／又はＣＳＦＢの前記ＡＣ規制制御を自動的にトリガする。この実施形態において、ＳＳＡＣの前記ＡＣ規制制御は、ＳＳＡＣ−ＭＭＴＥＬ＿ＶｉｄｅｏサービスおよびＳＳＡＣ−ＭＭＴＥＬ＿Ｖｏｉｃｅサービスへのアクセスを規制することを含む。ＣＳＦＢの前記ＡＣ規制制御は、ＰＳネットワークからＣＳネットワークへフォールバックして、ボイスサービスへのアクセスを規制しうる。
【００８４】
ＳＳＡＣの前記ＡＣ規制制御は、ＳＳＡＣ−ＭＭＴＥＬ＿ＶｉｄｅｏやＳＳＡＣ−ＭＭＴＥＬ＿Ｖｏｉｃｅへのアクセスを規制することを含むが、これに限定されるものではないことは当業者であればわかりうる。
【００８５】
前記第１判別モジュール５１が、前記ＡＣ規制制御をトリガする必要があると判別した場合、前記送信モジュール５２は、前記ＵＥが前記基地局へのアクセスを前記制御パラメータに従って制御できるように、前記ＡＣ規制制御の制御パラメータをＵＥへ送信する。
【００８６】
前記ＡＣ規制制御の前記制御パラメータを受信した後、ＵＥは、前記ＡＣ規制制御の前記制御パラメータに従って、前記基地局へアクセスしうる。ＵＥによる基地局へのアクセスを前記制御パラメータに従って制御する処理は、具体的には、従来技術文献の関連するコンテンツにおいて参照され得るため、ここでは詳細に説明しない。
【００８７】
この実施形態において提供される前記基地局は、プリセット条件に従って、ＳＳＡＣ及び／又はＣＳＦＢのＡＣ規制制御をトリガするかどうかを判別する。判別結果がyesであるならば、前記基地局は、前記ＵＥが前記基地局へのアクセスを前記制御パラメータに従って制御できるように、ブロードキャストモードにおいて、前記ＡＣ規制制御の制御パラメータをＵＥに送信する。本発明のこの実施形態において、前記基地局は、ＳＳＡＣの前記ＡＣ規制制御及び／又はＣＳＦＢの前記ＡＣ規制制御をリアルタイムで、前記基地局の輻輳状態又はアラートメッセージに従って、自動的にトリガし得る。これにより、従来技術のマニュアルでのＡＣ規制制御のトリガ方法よりも高い適時性や柔軟性を提供し得る。
【００８８】
図６は、本発明の実施形態による他の基地局の概略構成図である。図６に示されているように、前記基地局は、第１判別モジュール６１と、送信モジュール６２と、タイミングモジュール６３と、第２判別モジュール６４と、調整モジュール６５と、を含む。
【００８９】
前記基地局の稼働中、前記第１判別モジュール６１は、プリセット条件に従って、ＳＳＡＣのＡＣ規制制御及び／又はＣＳＦＢのＡＣ規制制御をトリガするかどうかを判別し得る。前記プリセット条件に関しては、前述の基地局の実施形態における関連するコンテンツを参照し、ここでは再び説明しない。
【００９０】
前記第１判別モジュール６１が、前記ＡＣ規制制御のトリガが必要であると判別した後、前記送信モジュール６２は、前記ＵＥが前記制御パラメータに従って、前記基地局へアクセスできるように、ブロードキャストモードにおいて、前記ＡＣ規制制御の制御パラメータをＵＥへ送信する。前記送信モジュール６２により前記制御パラメータを送信する処理、及び、前記制御パラメータの紹介は、先の実施形態における関連するコンテンツを参照し、ここでは再び説明しない。
【００９１】
実際には、基地局は、誤ったアラートメッセージを受信し得る。オプションとして、この実施形態において、前記プリセット条件が、アラートメッセージが受信されたこと、である場合、前記第１判別モジュール６１は、前記アラート情報を受信した後、前記アラートメッセージが本当のアラートメッセージであることを確保するために前記アラートメッセージの正当性を検証する必要がある.
【００９２】
前記アラートメッセージが、本当のアラートメッセージであると判別された後、前記送信モジュール６２は、ブロードキャストモードにおいて、前記制御パラメータをＵＥへ送信する。前記送信モジュール６２がブロードキャストモードにおいて、前記制御パラメータをＵＥへ送信した後、前記タイミングモジュール６３は、前記ＡＣ規制制御の継続時間を記録する。オプションとして、前記タイミングモジュール６３は、タイマーであってよい。前記ＡＣ規制制御がトリガされた場合、前記ＡＣ規制制御の継続時間を記録するように、前記タイマーは、測時（timing）のために開始される。この実施形態において、時間閾値がプリセットされうる。前記タイミングモジュール６３により記録された前記継続時間前記プリセットされた時間閾値を超過したならば、前記送信モジュール６５は、前記基地局の前記ＡＣ規制制御の終了を前記ＵＥへ通知し、前記ＵＥは、前記ＡＣ規制制御の前に前記ＵＥがしていたように基地局へ正常にアクセスできるように、ブロードキャストモードにおいて、前記ＡＣ規制制御の終了を示すための指示情報をＵＥへ送信する。オプションとして、前記プリセットされた時間閾値は、前記タイマーの継続時間としてセットしてもよい。前記タイマーの前記継続時間が満了した後、前記送信モジュール６２は、前記指示情報を前記ＵＥへ送信する。
【００９３】
前記プリセット条件が、アラートメッセージが受信され、前記基地局が、輻輳状態にあること、である場合、前記第１判別モジュール６１は、前記アラートメッセージの正当性を検証し、前記基地局が、現在前記輻輳状態であるかどうかを判別する必要がありうる。前記アラートメッセージが正当であり、前記基地局が前記輻輳状態であるならば、前記第１判別モジュール６１は、前記ＡＣ規制制御をトリガする必要があると判別する。
【００９４】
具体的には、前記第１判別モジュール６１は、前記アラートメッセージが、地震津波警報システム（ＥＴＷＳ）又は、商用移動警報システム（ＣＭＡＳ）により送信されたアラートメッセージであるかどうかを判別してよい。この実施形態において、前記第１判別モジュール６１は、前記アラートメッセージの正当性を検証するように、フォーマット、コンテンツ、タイプ識別子、又は前記アラートメッセージなどに従って、前記アラートメッセージのソースを判別する。この実施形態において、アラートメッセージを検証することにより、前記基地局は、誤ったアラートメッセージによってサービスが受けられなくなることを避けうる。
【００９５】
オプションとして、前記基地局は、前記第２判別モジュール６４と、前記調整モジュール６５をさらに具備してもよい。
【００９６】
前記プリセット条件が、前記基地局が前記輻輳状態であること、である場合、又は、前記プリセット条件が、前記基地局が、アラートメッセージを受信し、前記基地局が前記輻輳状態であること、である場合、前記第２判別モジュール６４は、前記送信モジュール６２がブロードキャストモードにおいて、前記ＡＣ規制制御の制御パラメータをＵＥへ送信した後、前記基地局の前記輻輳状態が取り除かれたかどうかを周期的に判別する。前記第２判別モジュール６４が、前記基地局の前記輻輳状態が取り除かれていないと判別するならば、前記調整モジュール６５は、例えば、規制要素を増加する、規制時間を延長する、規制モードを変更するなどにより、前記制御パラメータを調整し得る。そして、前記送信モジュール６２は、ブロードキャストモードにおいて、前記調整された制御パラメータを前記ＵＥへ送信する。前記第２判別モジュール６４が前記基地局の前記輻輳状態が取り除かれたと判別するならば、前記送信モジュール６２は、ブロードキャストモードにおいて、前記ＵＥへ、前記ＡＣ規制制御の終了を示すための指示情報を送信する。
【００９７】
この実施形態において提供される前記基地局は、プリセット条件に従って、ＳＳＡＣのＡＣ規制制御及び／又はＣＳＦＢのＡＣ規制制御をトリガするかどうかを判別する。判別結果がyesであるならば、前記基地局は、前記ＵＥが前記基地局へのアクセスを前記制御パラメータに従って制御できるように、ブロードキャストモードにおいて、前記ＡＣ規制制御の制御パラメータをＵＥへ送信する。本発明のこの実施形態において、前記基地局は、前記基地局の輻輳状態又はアラートメッセージに従って、ＳＳＡＣの前記ＡＣ規制制御及び／又はＣＳＦＢの前記ＡＣ規制制御をリアルタイムで自動的にトリガできる。これにより、従来技術のマニュアルでのＡＣ規制制御のトリガ方法よりも高い適時性や柔軟性を提供し得る。
【００９８】
さらに、前記基地局は、リアルタイムで、輻輳状態が取り除かれたかどうかをさらに判別し得る。前記輻輳状態が継続しているならば、前記基地局は、前記輻輳状態をより素早く抜け出すように、前記制御パラメータを調整し、ＡＣ規制の強さ（intensity）を強める。さらに、前記基地局は、前記ＡＣ規制制御の継続時間を記録してもよく、前記継続時間がプリセットされた時間閾値を超過した後、前記基地局は、前記ＡＣ規制制御を自動的に終了可能であり、これにより、前記ＡＣ規制制御の柔軟性が改善される。
【００９９】
図７は、本発明の実施形態による他の基地局の概略構成図である。図７に示されているように、前記基地局は、プロセッサ７１と、送信器７２と、メモリ７３と、を具備する。
【０１００】
前記メモリ７３は、プログラムを格納するように構成されている。前記メモリ７３は、高速ＲＡＭであってよく、少なくとも１つの磁気ディスクメモリなどの不揮発性メモリを備えていてもよい。
【０１０１】
前記プロセッサ７１は、前記メモリ７３に格納されている前記プログラムを実行する。
【０１０２】
前記プロセッサ７１は、プリセット条件にしたがって、アクセスクラス規制制御をトリガするかどうかを判別するように構成されている。前記アクセスクラス規制制御は、ＳＳＡＣ（service specific access control）及び／又は回線交換フォールバック（ＣＳＦＢ）のアクセスクラス規制制御であり、前記プリセット条件は、前記基地局が、アラートメッセージを受信すること、及び／又は前記基地局が輻輳状態にあること、を含む。
【０１０３】
前記送信器７２は、判別結果がyesであるならば、前記ＵＥが前記基地局へのアクセスを前記制御パラメータに従って制御できるようにブロードキャストモードにおいて、前記アクセスクラス規制制御の制御パラメータをユーザ装置（ＵＥ）に送信するように構成されている。
【０１０４】
前記プリセット条件が、前記基地局が、アラートメッセージを受信すること、である場合、前記プロセッサ７１は、前記アラートメッセージの正当性を検証するように特に構成されている。前記アラートメッセージが正当であれば、前記アクセスクラス規制制御をトリガする。
【０１０５】
前記プリセット条件が、前記基地局が、アラートメッセージを受信し、前記基地局が前記輻輳状態であること、である場合、前記プロセッサ７１は、前記アラートメッセージの正当性を検証するように特に構成され、前記アラートメッセージが正当であり、前記基地局が前記輻輳状態であるならば、前記アクセスクラス規制制御をトリガする。
【０１０６】
前記プロセッサ７１は、前記アラートメッセージが、ＥＴＷＳ又はＣＭＡＳにより送信されたアラートメッセージであるかどうかを判別するように特に構成されている。
【０１０７】
前記プリセット条件が、前記基地局が前記輻輳状態である場合、又は、前記プリセット条件が、前記基地局が、アラートメッセージを受信し、前記基地局が前記輻輳状態である場合、前記プロセッサ７１は、前記送信モジュールがブロードキャストモードにおいて、前記ＡＣ規制制御の前記制御パラメータをＵＥに送信した後、前記基地局の前記輻輳状態が取り除かれたかどうかを周期的に判別するようにさらに構成されている。前記送信器７２は、前記プロセッサが、前記輻輳状態が取り除かれたと判別する場合、ブロードキャストモードにおいて、前記ＵＥへ前記アクセスクラス規制制御の終了を示すための指示情報を送信するようにさらに構成されている。
【０１０８】
前記プロセッサ７１は、前記輻輳状態が取り除かれていないと判別する場合、前記制御パラメータを調整するようにさらに構成されている。前記送信器７２は、ブロードキャストモードにおいて、前記調整された制御パラメータを前記ＵＥへ送信するようにさらに構成されている。
【０１０９】
前記プロセッサ７１は、前記ＡＣ規制制御の継続時間を記録するようにさらに構成されている。前記送信器７２は、前記継続時間がプリセットされた時間閾値を超過した後、ブロードキャストモードにおいて、前記ＵＥへ前記ＡＣ規制制御の終了を示すための指示情報を送信するようにさらに構成されている。
【０１１０】
前記プロセッサ７１は、中央処理装置（ＣＰＵ）、ＡＳＩＣ（Application Specific Integrated Circuit）、又は１つ又は複数の本発明の実施形態を実施するように構成された集積回路でありうる。
【０１１１】
オプションとして、具体的な実装において、前記プロセッサ７１、前記送信器７２、及び前記メモリ７３が、物理的に単独で存在するように実装されているならば、これら３つは、バスにより互いに接続され、互いに通信されうる。前記バスは、ＩＳＡ（Industry Standard Architecture）バス、ＰＣＩ（Peripheral Component Interconnection）バス、ＥＩＳＡ（Extended Industry Standard Architecture）バス、などであってよい。前記バスは、アドレスバス、データバス、コントロールバス、などのように、分類されうる。説明を容易にするために、図７において、前記バスは、太線により示されているが、ただ１つのバスであるとか、ただ１つの型のバスであるというわけではない。
【０１１２】
オプションとして、具体的な実装において、前記プロセッサ７１、前記送信器７２、及び前記メモリ７３が実装のために１つのチップに統合されているならば、これら３つは、内部インターフェースを使用することにより互いに通信してもよい。
【０１１３】
前記実施形態により提供される基地局の全ての機能モジュールは、先の関連する実施形態において示された前記アクセス制御方法の手順を実行するように構成されうる。前記方法の実施形態における前記機能モジュールの具体的な動作原理を参照し、詳細は、ここでは再び説明しない。
【０１１４】
この実施形態において提供される前記基地局は、プリセット条件にしたがって、ＳＳＡＣのＡＣ規制制御及び／又はＣＳＦＢのＡＣ規制制御をトリガするかどうかを判別する。判別結果がyesであるならば、前記基地局は、前記ＵＥが前記基地局へのアクセスを前記制御パラメータに従って制御できるように、ブロードキャストモードにおいて、前記ＡＣ規制制御の制御パラメータをＵＥへ送信する。本発明のこの実施形態において、前記基地局は、前記基地局の輻輳状態又は、アラートメッセージに従って、ＳＳＡＣの前記ＡＣ規制制御及び／又はＣＳＦＢの前記ＡＣ規制制御をリアルタイムで自動的にトリガできる。これにより、従来のマニュアルによるＡＣ規制制御のトリガ方法よりも高い適時性や柔軟性を提供する。
【０１１５】
当業者であれば、前記方法の実施形態のステップの全て又は一部は、関連するハードウェアに命令するプログラムにより実装しうることは理解し得る。前記プログラムは、コンピュータ読み取り可能な記録媒体に格納されうる。前記プログラムが実行される場合、前記方法の実施形態の前記ステップが実施される。先の記録媒体は、ＲＯＭ，ＲＡＭ，磁気ディスク、又は光ディスクなどのプログラムコードを格納可能な任意の媒体を具備する。
【０１１６】
最後に、上述の実施形態は、単に本発明の技術的ソリューションを説明するための目的であり、本発明を限定するものではない。上述の実施形態を参照しながら本発明を説明したが、当業者であれば、前述の実施形態で説明した技術的ソリューションを改良するか又は一部またはすべての技術的特徴に相当する置換を、本発明の実施形態の技術的ソリューションの範囲から逸脱することなく行い得ることは理解し得る。
【符号の説明】
【０１１７】
５１  第１判別モジュール
５２  送信モジュール
６１  第１判別モジュール
６２  送信モジュール
６３  タイミングモジュール
６４  第２判別モジュール
６５  調整モジュール
７１  プロセッサ
７２  送信器
７３  メモリ
【図１】
2016502825.tif 000003
【図２】
2016502825.tif 000004
【図３】
2016502825.tif 000005
【図４】
2016502825.tif 000006
【図５】
2016502825.tif 000007
【図６】
2016502825.tif 000008
【図７】
2016502825.tif 000009
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
アクセス制御方法であって、
基地局により、プリセット条件に従って、アクセスクラス規制制御をトリガするかどうかを判別するステップであって、前記アクセスクラス規制制御は、ＳＳＡＣ（service specific access control）又は回線交換フォールバック（ＣＳＦＢ）のアクセスクラス規制制御であり、前記プリセット条件は、前記基地局が、アラートメッセージを受信すること、及び／又は前記基地局が、輻輳状態であること、を具備する、ステップと、
判別結果が、前記アクセスクラス規制制御をトリガする、であるならば、ユーザ装置（ＵＥ）が前記基地局へのアクセスを制御パラメータに従って制御するように、基地局により、ブロードキャストモードにおいて、前記アクセスクラス規制制御の前記制御パラメータを前記ＵＥに送信するステップと、
を具備することを特徴とするアクセス制御方法。
【請求項２】
前記プリセット条件が、前記基地局が、アラートメッセージを受信すること、である場合、
前記基地局により、プリセット条件に従って、アクセスクラス規制制御をトリガするかどうかを判別するステップは、
前記基地局により、前記アラートメッセージの正当性を検証するステップと、
前記アラートメッセージが正当であれば、前記基地局により、前記アクセスクラス規制制御をトリガするステップと、
を具備することを特徴とする請求項１に記載のアクセス制御方法。
【請求項３】
前記基地局により、前記アクセスクラス規制制御の継続時間を記録するステップと、
前記継続時間が、プリセットされた時間閾値を超過した後、前記基地局により、ブロードキャストモードにおいて、前記アクセスクラス規制制御の終了を示す指示情報を前記ＵＥへ送信するステップと、
を具備することを特徴とする請求項１又は２に記載のアクセス制御方法。
【請求項４】
前記プリセット条件が、前記基地局が、アラートメッセージを受信するとともに、前記基地局が前記輻輳状態であること、である場合、
前記基地局により、プリセット条件に従って、アクセスクラス規制制御をトリガするかどうかを判別するステップは、
前記基地局により、前記アラートメッセージの正当性を検証するステップと、
前記アラートメッセージが正当であり、前記基地局が前記輻輳状態であるならば、前記基地局により、前記アクセスクラス規制制御をトリガするステップと、
を具備することを特徴とする請求項１に記載のアクセス制御方法。
【請求項５】
前記基地局により、前記アラートメッセージの正当性を検証するステップは、
前記基地局により、前記アラートメッセージは、地震津波警報システム（ＥＴＷＳ）又は商用移動警報システム（ＣＭＡＳ）により送信されたアラートメッセージであるかどうかを判別するステップを具備することを特徴とする請求項２又は４に記載のアクセス制御方法。
【請求項６】
前記プリセット条件が、前記基地局が前記輻輳状態であること、であるか、又は、前記プリセット条件が、前記基地局が、アラートメッセージを受信するとともに、前記基地局が前記輻輳状態であること、である場合、
前記方法は、
前記基地局により、前記輻輳状態が取り除かれたかどうかを周期的に判別するステップと、
前記輻輳状態が取り除かれたならば、前記基地局により、前記アクセスクラス規制制御の終了を示す指示情報を前記ＵＥへ送信するステップと、
をさらに具備することを特徴とする請求項１に記載のアクセス制御方法。
【請求項７】
前記輻輳状態が取り除かれていないならば、前記基地局により、前記制御パラメータを調整するステップと、
前記基地局により、前記調整された制御パラメータを前記ＵＥへ送信するステップと、
をさらに具備することを特徴とする請求項５に記載のアクセス制御方法。
【請求項８】
基地局であって、
プリセット条件に従って、アクセスクラス規制制御をトリガするかどうかを判別するように構成された第１判別モジュールであって、前記アクセスクラス規制制御は、ＳＳＡＣ（service specific access control）又は回線交換フォールバック（ＣＳＦＢ）のアクセスクラス規制制御であり、前記プリセット条件は、前記基地局が、アラートメッセージを受信すること、及び／又は前記基地局は、輻輳状態にあること、を具備する、第１判別モジュールと、
判別結果が、前記アクセスクラス規制制御をトリガする、であるならば、ユーザ装置（ＵＥ）が前記基地局へのアクセスを制御パラメータに従って制御するように、ブロードキャストモードにおいて、前記アクセスクラス規制制御の前記制御パラメータを前記ＵＥに送信するように構成されている送信モジュールと、
を具備することを特徴とする基地局。
【請求項９】
前記プリセット条件が、前記基地局が、アラートメッセージを受信すること、である場合、
前記第１判別モジュールは、前記アラートメッセージの正当性を検証し、前記アラートメッセージが正当であれば、前記アクセスクラス規制制御をトリガするように特に構成されていることを特徴とする請求項８に記載の基地局。
【請求項１０】
前記アクセスクラス規制制御の継続時間を記録するように構成されているタイミングモジュールをさらに具備し、
前記送信モジュールは、前記継続時間が、プリセットされた時間閾値を超過した後、ブロードキャストモードにおいて、前記アクセスクラス規制制御の終了を示す指示情報を前記ＵＥへ送信するようにさらに構成されていることを特徴とする請求項８又は９に記載の基地局。
【請求項１１】
前記プリセット条件が、前記基地局が、アラートメッセージを受信するとともに、前記基地局が前記輻輳状態であること、である場合、
前記第１判別モジュールは、前記アラートメッセージの正当性を検証し、前記アラートメッセージが正当であるとともに、前記基地局が前記輻輳状態であれば、前記アクセスクラス規制制御をトリガするように特に構成されていることを特徴とする請求項８に記載の基地局。
【請求項１２】
前記第１判別モジュールは、前記アラートメッセージが地震津波警報システム（ＥＴＷＳ）又は商用移動警報システム（ＣＭＡＳ）により送信されたアラートメッセージであるかどうかを判別するように特に構成されていることを特徴とする請求項９又は１１に記載の基地局。
【請求項１３】
前記プリセット条件が、前記基地局が前記輻輳状態にあるか、又は、前記プリセット条件が、前記基地局が、アラートメッセージを受信するとともに、前記基地局が前記輻輳状態にあること、である場合、
前記基地局は、第２判別モジュールをさらに具備し、
前記第２判別モジュールは、前記送信モジュールが、ブロードキャストモードにおいて、前記アクセスクラス規制制御の制御パラメータを前記ＵＥへ送信した後、前記輻輳状態が取り除かれたかどうかを周期的に判別するように構成され、
前記送信モジュールは、前記第２判別モジュールが前記輻輳状態が取り除かれたと判別した場合、ブロードキャストモードにおいて、前記アクセスクラス規制制御の終了を示す指示情報を前記ＵＥへ送信するようにさらに構成されていることを特徴とする請求項８に記載の基地局。
【請求項１４】
前記第２判別モジュールが前記輻輳状態は取り除かれていないと判別した場合、前記制御パラメータを調整するように構成された調整モジュールを更に具備し、
前記送信モジュールは、ブロードキャストモードにおいて、前記調整された制御パラメータを前記ＵＥに送信するようにさらに構成されていることを特徴とする請求項１３に記載の基地局。
【国際調査報告】
2016502825.tif 000010
2016502825.tif 000011
2016502825.tif 000012
2016502825.tif 000013